(57)【要約】【課題】空気中の有機物を放電によって処理する集塵機であって、放電により発生する熱量を低減し、かつ、処理されずに排出される有機物を低減できる集塵機を提供する。【解決手段】集塵機１０は、空気を通過させる通気孔３２ｈを有し、接地される通気電極３２と、通気電極３２に対向して配置される対向電極３１ａ〜対向電極３１ｅと、通気電極３２と各対向電極との間の空気を絶縁破壊させない非放電電圧と、当該空気を絶縁破壊させる放電電圧とを、交互に各対向電極に印加する電源４０ａ〜電源４０ｅとを備える。【選択図】図１
2018140319.tif 000002
【特許請求の範囲】
【請求項１】
空気を通過させる通気孔を有し、接地される通気電極と、
前記通気電極に対向して配置される対向電極と、
前記通気電極と前記対向電極との間の空気を絶縁破壊させない非放電電圧と、当該空気を絶縁破壊させる放電電圧とを、交互に前記対向電極に印加する電源とを備える
集塵機。
【請求項２】
前記集塵機は、複数の前記対向電極を備え、
前記電源は、複数の前記対向電極にシーケンシャルに前記放電電圧を印加する
請求項１に記載の集塵機。
【請求項３】
前記集塵機は、さらに、
接地される接地電極と、
前記接地電極に対向して配置され、前記非放電電圧が印加されることによって、前記接地電極との間でコロナ放電を発生させるコロナ放電電極とを備え、
前記電源は、前記コロナ放電電極に、前記非放電電圧を印加する
請求項１又は２に記載の集塵機。
【請求項４】
前記通気電極は、メッシュ状の形状を有する
請求項１〜３のいずれか１項に記載の集塵機。
【請求項５】
前記対向電極は、針状の形状を有する
請求項１〜４のいずれか１項に記載の集塵機。
【請求項６】
前記対向電極に前記放電電圧が印加されることによって、前記通気電極と前記対向電極との間でグロー放電が生成される
請求項１〜５のいずれか１項に記載の集塵機。
【請求項７】
前記空気の圧力は大気圧である
請求項１〜６のいずれか１項に記載の集塵機。
【請求項８】
請求項１〜７のいずれか１項に記載の集塵機を備える
空気清浄機。
【発明の詳細な説明】
【技術分野】
【０００１】
本発明は、空気中において放電を発生させる集塵機及び空気清浄機に関する。
【背景技術】
【０００２】
従来、空気中に浮遊する花粉などの有機物からなる塵を除去する方法として、暗放電であるコロナ（ストリーマ）放電を利用する方法が知られている（例えば、特許文献１参照）。これは、花粉などをコロナ放電によって低温酸化させて分解する方法である。
【先行技術文献】
【特許文献】
【０００３】
【特許文献１】特開２００５−３００１１１号公報
【発明の概要】
【発明が解決しようとする課題】
【０００４】
また、より短時間で花粉などの有機物を処理するために、グロー放電を利用する方法が考えられる。これにより、有機物を瞬間的に完全酸化（燃焼）することが可能となる。
【０００５】
しかしながら、グロー放電を利用する場合には、コロナ放電を利用する場合より、放電時に発生する熱量が大きいため、放電に用いる電極が溶融するなどの問題がある。また、熱量を低減するために、放電を間欠的に行う方法が考えられるが、この場合、放電停止時に飛来する有機物を処理できないという問題がある。
【０００６】
そこで、本発明は、空気中の有機物を放電によって処理する集塵機であって、放電により発生する熱量を低減し、かつ、処理されずに排出される有機物を低減できる集塵機、及び、それを備える空気清浄機を提供することを目的とする。
【課題を解決するための手段】
【０００７】
上記課題を解決するために、本発明に係る集塵機の一態様は、空気を通過させる通気孔を有し、接地される通気電極と、前記通気電極に対向して配置される対向電極と、前記通気電極と前記対向電極との間の空気を絶縁破壊させない非放電電圧と、当該空気を絶縁破壊させる放電電圧とを、交互に前記対向電極に印加する電源とを備える。
【０００８】
また、上記課題を解決するために、本発明に係る空気清浄機の一態様は、上記集塵機を備える。
【発明の効果】
【０００９】
本発明によれば、空気中の有機物を放電によって処理する集塵機であって、放電により発生する熱量を低減し、かつ、処理されずに排出される有機物を低減できる集塵機及び空気清浄機を提供できる。
【図面の簡単な説明】
【００１０】
【図１】図１は、実施の形態１に係る集塵機の全体構成の概要を示すブロック図である。
【図２】図２は、実施の形態１に係る集塵機の通気電極及び対向電極の一例の外観を示す斜視図である。
【図３】図３は、実施の形態１に係る集塵機の各対向電極に印加される電圧の波形の一例を示すグラフである。
【図４】図４は、実施の形態１に係る集塵機の各対向電極に印加される電圧の波形の一例を示すグラフである。
【図５】図５は、実施の形態２に係る集塵機の全体構成の概要を示すブロック図である。
【図６】図６は、変形例に係る空気清浄機の外観図である。
【図７】図７は、変形例に係るエアコンディショナの外観図である。
【発明を実施するための形態】
【００１１】
以下、本発明の実施の形態について、図面を参照しながら説明する。なお、以下に説明する実施の形態は、いずれも本発明の一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態１）
［１−１．全体構成］
実施の形態１に係る集塵機の全体構成について図面を用いて説明する。
【００１４】
図１は、本実施の形態に係る集塵機１０の全体構成の概要を示すブロック図である。図２は、本実施の形態に係る集塵機１０の通気電極３２及び対向電極３１ａ〜３１ｅの一例の外観を示す斜視図である。
【００１５】
集塵機１０は、空気中の有機物を放電によって処理する装置である。集塵機１０は、ファン（図示せず）などを用いて図の矢印の方向に導入される空気中に浮遊する花粉などの有機物を処理する。本実施の形態では、集塵機１０に導入される空気の圧力は大気圧である。これにより、大気圧の空気の圧力を調整することなく、集塵機１０に導入することができるため、集塵機１０の構成を簡素化できる。なお、集塵機１０に導入される空気の圧力は、実質的に大気圧と等しければよく、厳密に大気圧と一致しなくてもよい。例えば、集塵機１０に導入される空気の圧力は、大気圧と１０％程度の差があってもよい。集塵機１０は、図１に示されるように、荷電部２０と、処理部３０とを備える。
【００１６】
荷電部２０は、空気中に浮遊する有機物９０を、コロナ放電を発生させた電極対間に導入することにより荷電（帯電）させて、荷電有機物９１を生成する。荷電部２０は、接地電極２２ａ及び接地電極２２ｂと、コロナ放電電極２１と、荷電用電源２５とを備える。
【００１７】
接地電極２２ａ及び接地電極２２ｂは、コロナ放電電極２１と対向して配置され、接地されている。接地電極２２ａ及び接地電極２２ｂの形状は、特に限定されず、例えば、平板状でもよい。接地電極２２ａ及び接地電極２２ｂを形成する材料は、導電性材料であれば特に限定されず、例えばステンレスなどでもよい。
【００１８】
コロナ放電電極２１は、接地電極２２ａ及び接地電極２２ｂに対向して配置され、荷電用電源２５によって電圧が印加される。コロナ放電電極２１の形状は特に限定されず、例えば細線状でもよい。コロナ放電電極２１を形成する材料は、導電性材料であれば特に限定されず、例えばステンレス、タングステンなどでもよい。また、コロナ放電電極２１と接地電極２２ａ及び接地電極２２ｂとの距離は、例えば、１５ｍｍ程度である。
【００１９】
荷電用電源２５は、コロナ放電電極２１に電圧を印加することによって、コロナ放電電極２１と接地電極２２ａ及び接地電極２２ｂとの間でコロナ放電を発生させる。本実施の形態では、荷電用電源２５は、コロナ放電電極２１に例えば９ｋＶ程度の電圧を印加する。
【００２０】
処理部３０は、空気中に浮遊する花粉などの有機物９０を処理する。処理部３０は、通気電極３２と、対向電極３１ａ〜対向電極３１ｅと、電源４０ａ〜電源４０ｅとを備える。
【００２１】
通気電極３２は、図２に示されるように、空気を通過させる通気孔３２ｈを有する電極である。また、図１に示されるように、通気電極３２は接地される。通気電極３２は、例えば、図２に示されるようなメッシュ状の形状を有し、複数の通気孔３２ｈを有する。これにより、通気性が高く、かつ、荷電有機物９１を吸着させやすい電極を実現できる。通気電極３２を形成する材料は、導電性であれば特に限定されないが、例えばタングステンである。
【００２２】
対向電極３１ａ〜対向電極３１ｅは、図１及び図２に示されるように、通気電極３２に対向して配置される電極である。対向電極の個数は、一つでもよいし、複数でもよい。集塵機１０が複数の対向電極を備える場合には、各対向電極に印加する電圧の大きさ及び印加タイミングを調整できる。各対向電極の形状は、特に限定されないが、本実施の形態では、図１及び図２に示されるように針状である。これにより、各対向電極において電界を集中させることができるため、より低い電圧で放電を開始させることができる。
【００２３】
電源４０ａ〜電源４０ｅは、それぞれ、通気電極３２と対向電極３１ａ〜対向電極３１ｅとの間の空気を絶縁破壊させない非放電電圧と、空気を絶縁破壊させる放電電圧とを、交互に対向電極３１ａ〜対向電極３１ｅに印加する。各対向電極に放電電圧が印加されることによって、通気電極３２と各対向電極との間でグロー放電が生成される。これにより、放電領域にある荷電有機物９１を瞬間的に完全酸化処理することができる。各電源が各対向電極に印加する非放電電圧及び放電電圧については後で詳述する。
【００２４】
［１−２．動作］
次に、本実施の形態に係る集塵機１０の動作について説明する。ここでは、二つの動作例を挙げる。
【００２５】
［１−２−１．動作例１］
本実施の形態に係る集塵機１０の動作例１について図面を用いて説明する。
【００２６】
図３は、本実施の形態に係る集塵機１０の各対向電極に印加される電圧の波形の一例を示すグラフである。
【００２７】
上述したように、電源４０ａ〜電源４０ｅは、それぞれ対向電極３１ａ〜対向電極３１ｅに放電電圧と、非放電電圧とを交互に印加する。
【００２８】
まず、放電電圧について、図３を用いて説明する。
【００２９】
図３に示されるように、まず、放電開始期間において、電源４０ａ〜電源４０ｅは、それぞれ対向電極３１ａ〜対向電極３１ｅに放電開始電圧以上の電圧Ｖ１を印加する。これにより、通気電極３２と各対向電極との間に放電が発生する。電圧Ｖ１の値は、通気電極３２と各対向電極との距離などに応じて適宜設定されればよく、例えば、１０ｋＶ程度である。電圧Ｖ１の印加時間は、放電を開始できる程度であればよく、例えば５００ｎｓｅｃ程度でよい。電圧Ｖ１の印加によって放電が開始された後、図３に示されるように、電源４０ａ〜電源４０ｅは、それぞれ対向電極３１ａ〜対向電極３１ｅに、グロー放電を維持できる電圧Ｖ４の矩形パルスを印加する。これにより、各対向電極と通気電極３２との間においてグロー放電を維持できる。電圧Ｖ４の値は、グロー放電を維持できるように適宜設定されればよく、例えば、４００Ｖ程度である。また、電圧Ｖ４の矩形パルスの幅は、特に限定されないが、例えば、１０μｓｅｃ程度でよい。図３に示される例では、電圧Ｖ１及び電圧Ｖ４が２回繰り返して各対向電極に印加されるが、これらの電圧の印加回数は特に限定されない。例えば、これらの電圧の印加回数は１回でもよい。また、電圧Ｖ１及び電圧Ｖ４が繰り返し各対向電極に印加される場合、電圧Ｖ４印加後、次に電圧Ｖ１を印加するまで、電圧の印加を停止する期間を設けてもよい。このような電圧印加停止期間は、放電を維持できるように十分短い時間であればよく、例えば数１０μｓｅｃ程度でよい。
【００３０】
次に、電源４０ａ〜電源４０ｅは、それぞれ対向電極３１ａ〜対向電極３１ｅにグロー放電を維持するための電圧パルスを印加する。図３に示されるように、電源４０ａ〜電源４０ｅは、それぞれ対向電極３１ａ〜対向電極３１ｅに、電圧Ｖ３の短パルスと電圧Ｖ４の矩形パルスを印加する。これにより、各対向電極と通気電極３２との間においてグロー放電を維持できる。電圧Ｖ３の値及びパルス幅は、それぞれ、グロー放電を開始できる値であればよく、例えば、２ｋＶ程度及び５００ｎｓｅｃ程度でよい。また、電圧Ｖ４のパルス幅は、特に限定されないが、例えば、１０μｓｅｃ程度でよい。このような電圧Ｖ３及び電圧Ｖ４が、電圧印加停止期間を挟んで繰り返し印加される。これにより、断続的にグロー放電を発生させることができる。電圧印加停止期間は、放電を維持できるように十分短い時間であればよく、例えば数１０μｓｅｃ程度でよい。これらの電圧を印加する繰り返し周波数は、特に限定されないが、消音のために可聴周波数帯域の上限である２０ｋＨｚ以上としてもよい。グロー放電を発生させる期間は特に限定されないが、通気電極３２及び各対向電極において、グロー放電に起因する発熱による損傷が発生しない程度とすればよい。
【００３１】
上述したグロー放電が発生している期間において、通気電極３２の近傍に位置する荷電有機物９１が完全酸化処理される。これにより、荷電有機物９１を実質的に消滅させることができる。なお、荷電有機物９１が完全酸化処理される際に、通気電極３２と各対向電極との間の抵抗が低下することに伴って、放電状態が一時的にアーク放電に移行する。このようにアーク放電に移行した後、再度グロー放電に戻るように、各電源の印加電圧を上述のように設定し、かつ、通気電極３２と各対向電極との間に流れる電流を制限してもよい。電流を制限するために、例えば、各放電回路に抵抗素子を挿入してもよい。
【００３２】
上述した放電開始期間とグロー放電を維持する期間とに、電源４０ａ〜電源４０ｅが、それぞれ対向電極３１ａ〜対向電極３１ｅに印加する電圧が放電電圧である。
【００３３】
続いて、電源４０ａ〜電源４０ｅが、それぞれ対向電極３１ａ〜対向電極３１ｅに、上記放電電圧に続いて印加する非放電電圧について、図３を用いて説明する。
【００３４】
放電電圧を印加した後、放電が停止してから、電源４０ａ〜電源４０ｅは、それぞれ対向電極３１ａ〜対向電極３１ｅに、放電開始電圧未満の非放電電圧を印加する。図３に示される例では、電圧Ｖ２が非放電電圧として印加されている。これにより、放電は発生しないが、通気電極３２と各対向電極との間に電界が発生する。この電界によって、荷電有機物９１が、空気の流れ（図１の右から左に向かう流れ）に乗って、通気電極３２から離脱することを抑制できる。つまり、放電中断期間において、次に放電が開始されるまで、荷電有機物９１を通気電極３２に吸着させておくことができる。このように通気電極３２に吸着された荷電有機物９１は、非放電電圧に続いて印加される放電電圧によって発生するグロー放電で完全酸化処理される。非放電電圧（電圧Ｖ２）の値は、放電が開始されず、かつ、荷電有機物９１が通気電極３２に吸着されるように、通気電極３２と各対向電極との間の距離、空気の流れの速さなどに応じて適宜設定されればよい。非放電電圧の値は、例えば、９ｋＶ程度である。
【００３５】
以上のように、本実施の形態に係る集塵機１０では、対向電極３１ａ〜対向電極３１ｅに間欠的に放電電圧を印加することにより、間欠的に放電が発生するため、連続的に放電を発生させる場合より、発生する熱量を低減できる。さらに、集塵機１０に導入される有機物９０を、例えば正に荷電させて荷電有機物９１とすることによって、対向電極３１ａ〜対向電極３１ｅに非放電電圧を印加している期間に、荷電有機物９１を通気電極３２に吸着させておくことができる。このため、放電が停止している期間に、処理されずに集塵機から排出される有機物９０を低減できる。
【００３６】
なお、動作例１においては、五つの電源４０ａ〜電源４０ｅを用いたが、上述のとおり、各対向電極に同一の電圧を印加すればよいため、一つの電源を用いて各対向電極に電圧を印加してもよい。
【００３７】
［１−２−２．動作例２］
本実施の形態に係る集塵機１０の動作例２について説明する。動作例２は、各対向電極に印加する放電電圧及び非放電電圧を印加するタイミングが異なる点において、動作例１と相違する。以下、動作例２について動作例１との相違点を中心に図面を用いて説明する。
【００３８】
図４は、本実施の形態に係る集塵機１０の各対向電極に印加される電圧の波形の一例を示すグラフである。なお、図４では、対向電極３１ａ〜対向電極３１ｅのうち、対向電極３１ａ〜対向電極３１ｃに印加される電圧の波形が、それぞれグラフ（ａ）〜（ｃ）に示されている。
【００３９】
動作例１と同様に、電源４０ａは、対向電極３１ａに放電電圧と非放電電圧とを交互に印加する。図４のグラフ（ａ）に示される例では、電源４０ａは、時点Ｔ１から時点Ｔ２まで放電電圧を印加し、時点Ｔ２以降に非放電電圧を印加する。また、電源４０ｂ及び電源４０ｃも、電源４０ａと同様に、それぞれ対向電極３１ｂ及び対向電極３１ｃに放電電圧と非放電電圧とを交互に印加する。ただし、図４に示されるように、電源４０ａ〜電源４０ｃが放電電圧を印加するタイミングは、それぞれ異なる。図４に示される例では、グラフ（ｂ）に示されるように、電源４０ｂは、時点Ｔ２から時点Ｔ３まで放電電圧を印加し、グラフ（ｃ）に示されるように、電源４０ｃは、時点Ｔ３以降に放電電圧を印加する。図４には示されないが、電源４０ｄ及び電源４０ｅについても同様に、それぞれ異なるタイミングで、放電電圧を印加する。例えば、電源４０ａ〜電源４０ｅは、対向電極３１ａ〜３１ｅにシーケンシャルに放電電圧を印加してもよい。これにより、放電を発生させるタイミングと場所とをずらすことができるため、熱が発生するタイミング及び場所を分散させることができる。さらに、通気電極３２のうち、放電が発生していない領域は、放熱部として機能するため、通気電極３２の温度上昇を抑制できる。したがって、通気電極３２における熱による悪影響を抑制できる。
【００４０】
なお、上述のように、各対向電極において順次放電を開始させる際、隣接する対向電極間の間隔が狭い場合には、隣接する対向電極において発生している放電を利用して、放電開始電圧より低い電圧を印加することによって放電を開始できる場合があり得る。この場合には、放電電圧の放電開始期間における印加電圧を放電開始電圧より低い値に適宜調整してもよい。
【００４１】
［１−３．まとめ］
以上のように、本実施の形態に係る集塵機１０は、空気を通過させる通気孔３２ｈを有し、接地される通気電極３２と、通気電極３２に対向して配置される対向電極３１ａ〜対向電極３１ｅとを備える。集塵機１０は、さらに、通気電極３２と各対向電極との間の空気を絶縁破壊させない非放電電圧と、当該空気を絶縁破壊させる放電電圧とを、交互に各対向電極に印加する電源４０ａ〜電源４０ｅを備える。
【００４２】
このように、対向電極３１ａ〜対向電極３１ｅに間欠的に放電電圧を印加することにより、間欠的に放電が発生するため、連続的に放電を発生させる場合より、発生する熱量を低減できる。さらに、集塵機１０に導入される有機物９０を、例えば正に荷電させて荷電有機物９１とすることによって、対向電極３１ａ〜対向電極３１ｅに非放電電圧を印加している期間に、荷電有機物９１を通気電極３２に吸着させておくことができる。このため、放電が停止している期間に、処理されずに集塵機１０から排出される有機物９０を低減できる。
【００４３】
また、集塵機１０は、複数の対向電極３１ａ〜対向電極３１ｅを備え、電源４０ａ〜電源４０ｅは、複数の対向電極３１ａ〜対向電極３１ｅにシーケンシャルに放電電圧を印加してもよい。
【００４４】
これにより、放電を発生させるタイミングと場所とをずらすことができるため、熱が発生するタイミング及び場所を分散させることができる。さらに、通気電極３２のうち、放電が発生していない領域は、放熱部として機能するため、通気電極３２の温度上昇を抑制できる。したがって、通気電極３２における熱による悪影響を抑制できる。
【００４５】
また、集塵機１０において、通気電極３２は、メッシュ状の形状を有してもよい。
【００４６】
これにより、通気性が高く、かつ、有機物９０を吸着させやすい電極を実現できる。
【００４７】
また、集塵機１０において、対向電極３１ａ〜対向電極３１ｅは、針状の形状を有してもよい。
【００４８】
これにより、各対向電極において電界を集中させることができるため、より低い電圧で放電を開始させることができる。
【００４９】
また、集塵機１０において、対向電極３１ａ〜対向電極３１ｅに放電電圧が印加されることによって、通気電極３２と各対向電極との間でグロー放電が生成されてもよい。
【００５０】
これにより、放電領域にある荷電有機物９１を瞬間的に完全酸化処理することができる。
【００５１】
また、集塵機１０において、空気の圧力は大気圧であってもよい。
【００５２】
これにより、大気圧の空気の圧力を調整することなく、集塵機１０に導入することができるため、集塵機１０の構成を簡素化できる。
【００５３】
（実施の形態２）
実施の形態２に係る集塵機について説明する。本実施の形態に係る集塵機は、荷電部と処理部とで電源を共用する点において、実施の形態１に係る集塵機１０と相違する。以下、本実施の形態に係る集塵機について、実施の形態１に係る集塵機１０との相違点を中心に説明する。
【００５４】
［２−１．全体構成］
本実施の形態に係る集塵機の全体構成について図面を用いて説明する。
【００５５】
図５は、本実施の形態に係る集塵機１１０の全体構成の概要を示すブロック図である。
【００５６】
図５に示されるように、本実施の形態に係る集塵機１１０は、実施の形態１に係る集塵機１０と同様に、荷電部１２０と処理部１３０とを備える。
【００５７】
荷電部１２０は、接地電極２２ａ及び接地電極２２ｂと、コロナ放電電極２１とを備える点において、実施の形態１に係る荷電部２０と一致するが、荷電用電源２５を備えず、電源１４０を処理部１３０と共用している点において相違する。
【００５８】
処理部１３０は、通気電極３２と、対向電極１３１ａ〜対向電極１３１ｅと、電源１４０とを備える。本実施の形態に係る処理部１３０は、各対向電極に一つの電源１４０から電圧が印加される点、及び、各対向電極が通気電極３２に対して荷電部１２０側に配置されている点において相違する。また、上述のとおり、処理部１３０は、荷電部１２０と電源１４０を共用する。電源１４０は、各対向電極及びコロナ放電電極２１に、非放電電圧及び放電電圧を印加する。このように、本実施の形態では、電源１４０の他に、荷電用電源を別途備える必要がないため、集塵機１１０の構成を簡素化することができる。
【００５９】
上述のように、本実施の形態では、コロナ放電電極２１は、接地電極２２ａ及び接地電極２２ｂに対向して配置され、非放電電圧が印加されることによって、接地電極２２ａ及び接地電極２２ｂとの間でコロナ放電を発生させる。ここで、コロナ放電電極２１に非放電電圧を印加することによってコロナ放電電極２１と各接地電極との間でコロナ放電を発生させるために、非放電電圧の値に応じてコロナ放電電極２１と各接地電極との間の距離が適宜設定される。
【００６０】
なお、コロナ放電電極２１に放電電圧が印加される際には、一時的に、コロナ放電が発生しない期間が発生し得る。しかしながら、通常、放電電圧を印加する期間は、非放電電圧を印加する期間の０．１％以上、１％未満程度の長さでよい。このため、放電電圧が印加される期間が存在することが集塵機１１０の有機物処理性能に与える影響は、無視できる程度に小さい。
【００６１】
［２−２．まとめ］
以上のように、本実施の形態に係る集塵機１１０は、接地される接地電極２２ａ及び接地電極２２ｂを備える。さらに、集塵機１１０は、接地電極２２ａ及び接地電極２２ｂに対向して配置され、非放電電圧が印加されることによって、接地電極２２ａ及び接地電極２２ｂとの間でコロナ放電を発生させるコロナ放電電極２１を備える。また、電源１４０は、コロナ放電電極２１に、非放電電圧を印加する。
【００６２】
これにより、電源１４０の他に、荷電用電源を別途備える必要がないため、集塵機１１０の構成を簡素化することができる。
【００６３】
（変形例など）
以上、本発明に係る集塵機について、各実施の形態に基づいて説明したが、本発明は、上記各実施の形態に限定されるものではない。
【００６４】
例えば、本発明の一態様は、図６に示すような空気清浄機としても実現することができる。図６は、本変形例に係る空気清浄機の外観図である。図６に示す空気清浄機は、例えば、内部に上記各実施の形態に係る集塵機を備え、空気中の有機物９０を消滅させる。このような空気清浄機においては、上記各実施の形態に係る集塵機と同様の効果が奏される。また、このような空気清浄機においては、フィルタによって有機物を除去する必要がないため、フィルタのメンテナンス作業を軽減できる。
【００６５】
また、本発明の一態様は、図７に示すようなエアコンディショナとしても実現することができる。図７は、本変形例に係るエアコンディショナの外観図である。図７に示すエアコンディショナは、例えば、内部に上記各実施の形態に係る集塵機を備え、空気中の有機物を消滅させる。このようなエアコンディショナにおいては、フィルタによって有機物を除去する必要がないため、フィルタのメンテナンス作業を軽減できる。
【００６６】
また、上記各実施の形態では、通気電極３２は、複数の矩形の通気孔３２ｈを有するメッシュ状の形状を有したが、通気電極３２の形状は、通気孔を有していればよく、これに限定されない。例えば、通気電極３２は、ハニカム状の形状を有してもよいし、複数の線状の電極が平行に配列された縞状の形状を有してもよい。
【００６７】
また、上記実施の形態２では、コロナ放電電極２１に、非放電電圧及び放電電圧を印加したが、非放電電圧だけを選択的に印加してもよい。
【００６８】
また、上記実施の形態２では、各対向電極が通気電極３２に対して荷電部１２０側に配置されたが、各対向電極の配置はこれに限定されない。各対向電極は、例えば、実施の形態１と同様に、通気電極３２に対して空気の下流側（図５の水平方向左側）に配置されてもよい。
【００６９】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【００７０】
１０、１１０  集塵機
２１  コロナ放電電極
２２ａ、２２ｂ  接地電極
３１ａ、３１ｂ、３１ｃ、３１ｄ、３１ｅ、１３１ａ、１３１ｂ、１３１ｃ、１３１ｄ、１３１ｅ  対向電極
３２  通気電極
３２ｈ  通気孔
４０ａ、４０ｂ、４０ｃ、４０ｄ、４０ｅ、１４０  電源
【図１】
2018140319.tif 000003
【図２】
2018140319.tif 000004
【図３】
2018140319.tif 000005
【図４】
2018140319.tif 000006
【図５】
2018140319.tif 000007
【図６】
2018140319.tif 000008
【図７】
2018140319.tif 000009